(57)【特許請求の範囲】
【請求項１】
基板面の中心に対して対称に配設された二組の固定接点と、基板面の中心を回転中心とする回転体に保持され、上記二組の固定接点にそれぞれ弾接する二つの回転弾性接点体と、この二つの回転弾性接点体それぞれと導通して回転軸線を挟むように対向して配された二つの対向弾性接点脚と、回転軸線方向に動くことにより、上記二つの対向弾性接点脚間を接離する中心可動接点と、上記回転体を回転させると共に、上記中心可動接点を回転軸線方向に動かす一つまたは二つの操作軸とからなり、上記二組の固定接点をそれぞれ、半円状のコモン接点と、これと同心の放射状で所定の角度ピッチに配された複数個の個別接点とし、上記二つの回転弾性接点体の各二つずつの接点が、上記回転体の回転に伴って上記二組の固定接点のコモン接点と各個別接点の間を切替え接続することを特徴とする複合スイッチ。
【請求項２】
二組の回転弾性接点体と対向弾性接点脚をそれぞれ一体の弾性金属薄板で形成した請求項１記載の複合スイッチ。
【請求項３】
一つの操作軸で回転体を回転させると共に、中心可動接点を回転軸線方向に動かすようにした請求項１または２記載の複合スイッチ。
【請求項４】
中心可動接点を動かす操作軸が、回転軸線方向の動きの押し位置および引き位置で節度感を伴って停止する請求項１〜３のいずれか一つに記載の複合スイッチ。
【請求項５】
中心可動接点を動かす操作軸が、回転軸線方向の動きの引き位置にあるようにばね体で付勢した請求項１〜３のいずれか一つに記載の複合スイッチ。
【発明の詳細な説明】
【０００１】
【発明の属する技術分野】
本発明は、各種電子機器において、電気的に独立した複数の回路を同時に切替調整することができる複合スイッチに関するものである。
【０００２】
【従来の技術】
従来のこの種のスイッチとしては、例えば、ステレオ方式のオーディオ機器において、二つの信号により動作する二つの回路の出力レベルを切替調整する場合等には、図１１の正面断面図に示すような、二つの同一仕様の切替スイッチ２Ａ，２Ｂを同心・二段に配置し、これを一つの操作軸３で回転切替え操作する方式の複合スイッチ１が使用されていた。
【０００３】
そして、このオーディオ機器を一つの信号で動作させて、モノラル方式の一つの回路として使用する場合には、図１２の配線図に示すように、上記二段の各切替スイッチ２Ａ，２Ｂのコモン接点４Ａ，４Ｂの間を別のスイッチ５を使用して短絡し、上記の複合スイッチ１を一つの切替スイッチ２Ａまたは２Ｂと同様な形として使用していた。
【０００４】
【発明が解決しようとする課題】
しかしながら上記従来の複合スイッチ１では、その寸法が大きいと共に、一つの回路の切替調整用のスイッチとして使用するためには、別のスイッチ５を使用する必要があり、使用電子機器の操作面にそのためのスペースを必要とすると共に、操作時に二ヶ所のスイッチを操作しなければならないという課題があった。
【０００５】
本発明は、このような従来の課題を解決するものであり、小さな寸法であり、電気的に独立した二つの回路を同時に切替調整できると共に、一つの回路の切替調整用として使用する場合に、二つの切替スイッチを短絡する機能をこのスイッチ自身が有する複合スイッチを提供することを目的とする。
【０００６】
【課題を解決するための手段】
上記目的を達成するために本発明の複合スイッチは、半円状のコモン接点と、これと同心の放射状で所定の角度ピッチに配された複数個の個別接点とを一組とする二組の固定接点を接点基板の中心に対して対称位置に配設すると共に、上記二組の固定接点にそれぞれ弾接して上記コモン接点と上記各個別接点の間を切替え接続する二つの回転弾性接点体を、上記接点基板の中心を回転中心とする回転体に保持させ、さらに上記二つの回転弾性接点体のそれぞれと導通して、回転軸線を挟むように対向して二つの対向弾性接点脚を配し、操作軸により回転軸線方向に動かされる中心可動接点により上記二つの対向弾性接点脚間を接離する構成とするものである。
【０００７】
これにより、小さな寸法でありながら、電気的に独立した二つの回路を同時に切替調整できると共に、一つの回路の切替調整用として使用する場合に、二つの切替スイッチを短絡する機能をこのスイッチ自身が有する複合スイッチを得ることができる。
【０００８】
【発明の実施の形態】
本発明の請求項１に記載の発明は、基板面の中心に対して対称位置に配設された二組の固定接点と、基板面の中心を回転中心とする回転体に保持され、上記二組の固定接点にそれぞれ弾接する二つの回転弾性接点体と、この二つの回転弾性接点体それぞれと導通して回転軸線を挟むように対向して配された二つの対向弾性接点脚と、回転軸線方向に動くことにより、上記二つの対向弾性接点脚間を接離する中心可動接点と、上記回転体を回転させると共に、上記中心可動接点を回転軸線方向に動かす一つまたは二つの操作軸とからなり、上記二組の固定接点をそれぞれ、半円状のコモン接点と、これと同心の放射状で所定の角度ピッチに配された複数個の個別接点とし、上記二つの回転弾性接点体の各二つずつの接点が、上記回転体の回転に伴って上記二組の固定接点のコモン接点と各個別接点の間を切替え接続することを特徴とする複合スイッチとしたものであり、小さな寸法でありながら、電気的に独立した二つの回路を同時に複数段階に切替調整できると共に、一つの回路の切替調整用として使用する場合に、二つの切替スイッチを短絡する機能をこのスイッチ自身が有する複合スイッチを実現できるという作用を有する。
【０００９】
請求項２に記載の発明は、請求項１記載の発明において、二組の回転弾性接点体と対向弾性接点脚をそれぞれ一体の弾性金属薄板で形成したものであり、請求項１に記載の発明による作用に加えて、安価でコンパクトな複合スイッチとすることができるという作用を有する。
【００１０】
請求項３に記載の発明は、請求項１または２記載の発明において、一つの操作軸で回転体を回転させると共に、中心可動接点を回転軸線方向に動かすようにしたものであり、操作し易くコンパクトな複合スイッチとすることができるという作用を有する。
【００１１】
請求項４に記載の発明は、請求項１〜３のいずれか一つに記載の発明において、中心可動接点を動かす操作軸が、回転軸線方向の動きの押し位置および引き位置で節度感を伴って停止するものであり、安定した動作で、良好な操作感を有する複合スイッチとすることができるという作用を有する。
【００１２】
請求項５に記載の発明は、請求項１〜３のいずれか一つに記載の発明において、中心可動接点を動かす操作軸が、回転軸線方向の動きの引き位置にあるようにばね体で付勢したものであり、操作軸を押圧操作することにより、押圧している時のみ接続回路を切替えることができる複合スイッチとすることができるという作用を有する。
【００１４】
以下、本発明の実施の形態について、図面を用いて説明する。
【００１５】
（実施の形態１）
図１は本発明の第１の実施の形態による複合スイッチの正面断面図、図２は同分解斜視図である。
【００１６】
同図において、１１は接点基板で、その上面には二組の固定接点１２，１３が中心に対して対称に配設されている。
【００１７】
この二組の固定接点１２および１３は、図３の接点基板の上面図に示すように、接点基板１１の中心孔１１Ａを中心とする小径の半円状のコモン接点１２Ａおよび１３Ａと、その外方に所定の間隔をあけて、これと同心で所定角度の放射状に配された個別接点１２Ｂ，１２Ｃおよび１３Ｂ，１３Ｃから成っている。
【００１８】
また、１４および１５は、この固定接点１２および１３と接触する弾性金属薄板製の可動接点体であり、それぞれ回転弾性接点体１４Ａおよび１５Ａと、“くの字形”の対向弾性接点脚１４Ｂおよび１５Ｂを導通・連結して、一体の弾性金属薄板から形成されている。
【００１９】
そして、図４のスイッチ接点構成を説明する概念図に示すように、各回転弾性接点体１４Ａおよび１５Ａは、上記接点基板１１上の固定接点１２および１３のコモン接点１２Ａおよび１３Ａに弾接する接点脚１６Ａおよび１７Ａと、個別接点１２Ｂ，１２Ｃおよび１３Ｂ，１３Ｃに弾接する接点脚１６Ｂおよび１７Ｂを有している。
【００２０】
このような構成の可動接点体１４および１５を保持するのが、上部の円筒部１８Ａと下部のフランジ部１８Ｂから成る絶縁樹脂製の回転体１８で、フランジ部１８Ｂ下面中央の円形突部１８Ｃが上記接点基板１１の中心孔１１Ａに嵌合支持されると共に、円筒部１８Ａの外周を、上方に配された駆動体１９下部の大径の筒状部１９Ｂに抱持されて、接点基板１１の中心を回転中心として供回りするように係合している。
【００２１】
そして、可動接点体１４および１５は回転体１８のフランジ部１８Ｂ下面にカシメ固定されると共に、その“くの字形”の対向弾性接点脚１４Ｂおよび１５Ｂが二つの貫通孔１８Ｄを通って上部の円筒部１８Ａの空隙部１８Ｅ内に、中心に対して対称な位置に突出し、くの字形の対向弾性接点脚１４Ｂおよび１５Ｂの中央突出部１４Ｃと１５Ｃが回転軸線である中心線を挟んで対向するように配設されている。
【００２２】
また、駆動体１９は、その上部の中空の外操作軸１９Ａがケース２０上底部の支持孔２０Ａにより回転可能に支持され、外方に突出した先端部分が、操作つまみ（図示せず）が装着される外操作部１９Ｃを形成すると共に、その中央孔１９Ｄ内に内操作軸２１を、外操作軸１９Ａの回転軸線方向である上下方向に所定量だけ動くように保持している。
【００２３】
ここで、駆動体１９の筒状部１９Ｂの上面外周に設けられた凹凸部１９Ｅは、ケース２０の上底部下面に装着された板ばね２２のダボ部２２Ａと係合して、外操作軸１９Ａの回転操作時に節度感を生じるためのものである。
【００２４】
そして、上記の内操作軸２１は、上方に突出した先端部が、操作つまみ（図示せず）が装着される内操作部２１Ａを形成すると共に、下方に突出した先端部には、金属製の中心可動接点２３がカシメ装着されている。
【００２５】
この中心可動接点２３は、図１および図２に示すように、一定外径の円筒形の外周上端近くに山形突出部２３Ａを有しており、この外周を駆動体１９の外操作軸１９Ａ部分の下端に保持された弾性金属製のＵ字ばね２４が弾接挟持している。
【００２６】
ここで、図１に示す、内操作軸２１が引かれた状態すなわち引き位置にある時、上記のＵ字ばね２４は中心可動接点２３外周の山形突出部２３Ａの下端にあるように設定されており、この状態で中心可動接点２３は前記の可動接点体１４および１５の対向弾性接点脚１４Ｂおよび１５Ｂとは接触していない。
【００２７】
そして、図１および図２に示すように、ケース２０の上方からコの字形の連結金具２５を被せ、その上面の孔２５Ａから外操作軸１９Ａおよび内操作軸２１を突出させると共に、その両側部下端の脚部２５Ｂを接点基板１１の裏面でカシメることによって、上記の各構成部材は結合されている。
【００２８】
本実施の形態による複合スイッチは以上のように構成されるものであり、次にその動作について説明する。
【００２９】
まず、図１に示す内操作軸２１が引き位置にある状態において、外操作軸１９Ａの外操作部１９Ｃを回転操作すると、駆動体１９の回転に伴って回転体１８が回転し、そのフランジ部１８Ｂ下面に保持された二つの可動接点体１４および１５すなわち回転弾性接点体１４Ａおよび１５Ａの接点脚１６Ａ，１６Ｂおよび１７Ａ，１７Ｂがそれぞれ接点基板１１の固定接点１２および１３上を弾接摺動して、コモン接点１２Ａおよび１３Ａと接続する個別接点の位置が、１２Ｂおよび１３Ｂから１２Ｃおよび１３Ｃへと、ほぼ同時に順次切り替えられて、その信号がそれぞれの接続端子を介して外部へ伝達されている。
【００３０】
すなわち、本複合スイッチは独立した二回路の切替スイッチとして動作する。
【００３１】
なお、この切替動作時において、駆動体１９の上面部の凹凸部１９Ｅと板ばね２２のダボ２２Ａとの間で節度感を発生する。
【００３２】
次に、内操作軸２１の内操作部２１Ａを押圧操作すると、内操作軸２１およびその下端部の中心可動接点２３が下方に動き、中心可動接点２３の外周上端部近くの山形突出部２３Ａは、その下端を挟持したＵ字ばね２４を押し開きながら下方へ移動し、節度感を伴ってその頂点部を過ぎ、山形突出部２３Ａの上端部が挟持される位置で停止し、図５に示す、内操作軸２１が押し位置にある状態となる。
【００３３】
同図に示すように、この状態において、金属製の中心可動接点２３の下端部は二つの可動接点体１４および１５の対向した“くの字形”の対向弾性接点脚１４Ｂおよび１５Ｂの間に入り込み、くの字形の中央突出部１４Ｃおよび１５Ｃの間隔を押し広げて両者に接触し、二つの可動接点体１４および１５の間すなわち接点基板１１の固定接点１２および１３の二つのコモン接点１２Ａと１３Ａの間を短絡させる。
【００３４】
そして、この状態において、外操作軸１９Ａの外操作部１９Ｃを回転操作すると、駆動体１９の回転に伴って回転体１８が回転し、そのフランジ部１８Ｂ下面に保持された二つの可動接点体１４および１５の接点脚１６Ａ，１６Ｂおよび１７Ａ，１７Ｂがそれぞれ接点基板１１の固定接点１２および１３上を弾接摺動することは、内操作軸２１が引き位置にある上記の場合と同様であるが、二つのコモン接点１２Ａと１３Ａの間は短絡されているので、この操作に伴う本複合スイッチの切替動作による信号は、一回路の切替スイッチのものと同等のものである。
【００３５】
この後、内操作軸２１の内操作部２１Ａを引張り操作すると、内操作軸２１および中心可動接点２３が節度感を伴って上方へ動き、本複合スイッチは再び図１に示す、内操作軸２１が引き位置にあり、中心可動接点２３が可動接点体１４および１５の対向弾性接点脚１４Ｂおよび１５Ｂと接触していない状態、すなわち独立した二回路の切替スイッチとなる。
【００３６】
以上のように本実施の形態によれば、コンパクトな寸法でありながら、電気的に独立した二つの回路を同時に、節度感を伴って切替調整できると共に、一つの回路の切替調整用として使用するために、二つの切替スイッチを節度感を伴って短絡する機能をこのスイッチ自身が有する安価な複合スイッチを実現できるものである。
【００３７】
なお、上記の説明においては、この複合スイッチを操作するための操作軸として、回転体１８が保持する二つの可動接点体１４および１５の回転弾性接点体１４Ａおよび１５Ａを回転切替操作する際には外操作軸１９Ａを回転操作し、対向した二つの“くの字形”の対向弾性接点脚１４Ｂおよび１５Ｂの間すなわち可動接点体１４および１５の間を短絡または絶縁させる場合には、内操作軸２１を押しまたは引き操作する、二つの操作軸を使用する構成について説明したが、これを一つの操作軸で操作するようにした場合の構成を示すのが、図６および図７である。
【００３８】
すなわち、図６の正面断面図および図６のＸ−Ｘ線における断面図である図７に示すように、筒状部２６Ｅを備えた駆動体２６Ｄの中空軸部２６Ｆの孔部２６Ｇの断面形状を非円形とし、この孔部２６Ｇに嵌合保持される操作軸２６の下半部２６Ａの断面形状もこれと同じ非円形でやや細径として、両者を供回りするが、所定の範囲で独立して上下動可能に係合させたものである。
【００３９】
なお、駆動体２６Ｄの中空軸部２６Ｆの外周は円形で、その外径は操作軸２６先端の操作部２６Ｂの外径とほぼ同じとなっている。
【００４０】
そして、このような構成において、操作軸２６の操作部２６Ｂに操作つまみ（図示せず）を装着して回転操作すると、操作軸２６の回転により駆動体２６Ｄが供回りし、これに伴って回転体１８ならびにそのフランジ部１８Ｂ下面に保持された二つの可動接点体１４および１５の回転弾性接点体１４Ａおよび１５Ａを回転切替操作することができ、また、操作部２６Ｂを押しまたは引き操作することによって、対向した二つのくの字形の対向弾性接点脚１４Ｂおよび１５Ｂの間、すなわち可動接点体１４および１５の間を短絡または絶縁させて、本複合スイッチを二回路の切替スイッチまたは一回路の切替スイッチとすることができる。
【００４１】
すなわち、より操作し易く、コンパクトな複合スイッチとすることができるものである。
【００４２】
（実施の形態２）
図８は本発明の第２の実施の形態による複合スイッチの正面断面図、図９は同分解斜視図である。
【００４３】
本実施の形態による複合スイッチは、上記実施の形態１によるものに対して、駆動体２７の外操作軸２７Ａの段部２７Ｂ付きの中央孔２７Ｃ内に保持された内操作軸２８が、この中央孔２７Ｃ内に挿入されたコイルばね２９により、回転軸線方向の動きの引き位置である上方にあるように付勢されている点、および中心可動接点３１の外形が一定外径の円筒状となっている点が異なっており、その他の部分は実施の形態１によるものと同じである。
【００４４】
すなわち、接点基板１１上の固定接点１２および１３に弾接する回転弾性接点体１４Ａおよび１５Ａと、くの字形の対向弾性接点脚１４Ｂおよび１５Ｂからなる可動接点体１４および１５を保持した回転体１８を、駆動体２７の下部の筒状部２７Ｄで抱持されていることは、上記の実施の形態１の場合と同じであるが、ケース２０の支持孔２０Ａにより回転可能に支持された駆動体２７上部の外操作軸２７Ａの中央孔２７Ｃは、下方が小径部２７Ｅで上方が大径部２７Ｆとなっている。
【００４５】
そして、この外操作軸２７Ａの中央孔２７Ｃ内に保持される内操作軸２８は、上方に突出した先端部が操作つまみ（図示せず）が装着される内操作部２８Ａを形成していることは実施の形態１の場合と同様であるが、その下方の円形細径部２８Ｂが上記中央孔２７Ｃ下方の小径部２７Ｅに嵌合され、またその中間上部の鍔部２８Ｃが上方の大径部２７Ｆに嵌合されて所定量だけ上下方向に動くように保持されると共に、この鍔部２８Ｃ下面と中央孔２７Ｃの段部２７Ｂとの間に挿入されたコイルばね２９によって上方に付勢されている。
【００４６】
さらに、内操作軸２８の下方に突出した先端部にカシメ接続された一定外径の円筒状の中心可動接点３１は、内操作軸２８がコイルばね２９によって上方に付勢された通常状態において、上記の可動接点体１４および１５の対向弾性接点脚１４Ｂおよび１５Ｂと接触していない。
【００４７】
本実施の形態による複合スイッチは以上のように構成されるものであり、次にその動作について説明する。
【００４８】
まず、図８に示す、内操作軸２８がコイルばね２９により上方に付勢されて上記の実施の形態１における引き位置にある状態において、外操作軸２７Ａの外操作部２７Ｇを回転操作する場合には、上記の実施の形態１の場合と同様に二回路の切替スイッチとして動作する。
【００４９】
次に、コイルばね２９の付勢力に抗して内操作軸２８の内操作部２８Ａを押圧操作すると、内操作軸２８およびその下端部の中心可動接点３１が下方に動き、図１０の正面断面図に示すように、中心可動接点３１の下端部は二つの可動接点体１４および１５の対向弾性接点脚１４Ｂおよび１５Ｂの間に入り込んで両者に接触し、二つの可動接点体１４および１５の間すなわち接点基板１１の固定接点１２および１３の二つのコモン接点１２Ａと１３Ａの間を短絡させることも実施の形態１の場合と同様であり、この状態において、二回路の切替スイッチは短絡されて一回路の切替スイッチと同等のものとなる。
【００５０】
そして、この状態から内操作軸２８に加える押圧力を除くと、コイルばね２９の付勢力によって、内操作軸２８および中心可動接点３１は元の図８の状態に押し戻される。
【００５１】
すなわち、本実施の形態による複合スイッチは、内操作軸２８に押圧力を加えている状態のみにおいて一回路の切替スイッチと同条件とすることができるものであり、したがって、この押圧操作時のみに接続条件が変わることをプッシュスイッチとしても利用できるものである。
【００５２】
なお、本実施の形態による複合スイッチにおいても、実施の形態１の場合と同様に、一つの操作軸で操作する構成とできることは勿論である。
【００５３】
【発明の効果】
以上のように本発明によれば、電気的に独立した二つの回路を同時に複数段階に切替調整できると共に、一つの回路の切替調整用として使用する場合に、二つの切替スイッチを短絡する機能をこのスイッチ自身が有する、小型で安価な複合スイッチを実現できるという有利な効果が得られる。
【図面の簡単な説明】
【図１】本発明の第１の実施の形態による複合スイッチの正面断面図
【図２】同分解斜視図
【図３】同接点基板の上面図
【図４】同スイッチ接点構成を説明する概念図
【図５】同内操作軸が押し位置にある状態の正面断面図
【図６】同他の構成の複合スイッチの正面断面図
【図７】図６のＸ−Ｘ線における断面図
【図８】本発明の第２の実施の形態による複合スイッチの正面断面図
【図９】同分解斜視図
【図１０】同内操作軸を押圧操作する場合の正面断面図
【図１１】従来の複合スイッチの正面断面図
【図１２】同使用方法を説明する配線図
【符号の説明】
１１  接点基板
１１Ａ  中心孔
１２，１３  固定接点
１２Ａ，１３Ａ  コモン接点
１２Ｂ，１２Ｃ，１３Ｂ，１３Ｃ  個別接点
１４，１５  可動接点体
１４Ａ，１５Ａ  回転弾性接点体
１４Ｂ，１５Ｂ  対向弾性接点脚
１４Ｃ，１５Ｃ  中央突出部
１６Ａ，１６Ｂ，１７Ａ，１７Ｂ  接点脚
１８  回転体
１８Ａ  円筒部
１８Ｂ  フランジ部
１８Ｃ  円形突部
１８Ｄ  貫通孔
１８Ｅ  空隙部
１９，２６Ｄ，２７  駆動体
１９Ａ，２７Ａ  外操作軸
１９Ｂ，２６Ｅ，２７Ｄ  筒状部
１９Ｃ，２７Ｇ  外操作部
１９Ｄ，２７Ｃ  中央孔
１９Ｅ  凹凸部
２０  ケース
２０Ａ  支持孔
２１，２８  内操作軸
２１Ａ，２８Ａ  内操作部
２２  板ばね
２２Ａ  ダボ部
２３，３１  中心可動接点
２３Ａ  山形突出部
２４  Ｕ字ばね
２５  連結金具
２５Ａ  孔
２５Ｂ  脚部
２６  操作軸
２６Ａ  下半部
２６Ｂ  操作部
２６Ｆ  中空軸部
２６Ｇ  孔部
２７Ｂ  段部
２７Ｅ  小径部
２７Ｆ  大径部
２８Ｂ  円形細径部
２８Ｃ  鍔部
２９  コイルばね
【図１】
0004013388.tif 000002
【図２】
0004013388.tif 000003
【図３】
0004013388.tif 000004
【図４】
0004013388.tif 000005
【図５】
0004013388.tif 000006
【図６】
0004013388.tif 000007
【図７】
0004013388.tif 000008
【図８】
0004013388.tif 000009
【図９】
0004013388.tif 000010
【図１０】
0004013388.tif 000011
【図１１】
0004013388.tif 000012
【図１２】
0004013388.tif 000013